(57)【要約】      （修正有）【課題】  物品の残存する正常な装飾を利用して、欠損した部分又は欠損した部品を復元する。【解決手段】  完全な領域１２から画像データ１４を採取する。予め準備したシート１６に採取後に調製した画像データ１４を印刷する。その後、欠損部分に適合するように、シート１６を所定サイズに切断する。この切断したフィルム１８の印刷画像を上向きに、接着剤層を下向きにして物品に貼着する。これにより正常部分より採取した装飾・模様が、欠損部分１０上に転写される。【選択図】  図１
2005319682.tif 000002
【特許請求の範囲】
【請求項１】
修復物品表面の欠損残余領域の装飾の画像データを作成し、
前記修復物品表面に貼着可能なシートに前記画像データを印刷し、
欠損部分より大きく前記シートを切断し、
欠損部分に印刷画像を整合させて前記シートを前記修復物品の欠損領域に貼着することによりなる、
物品の欠損部分を修復する方法。
【請求項２】
修復物品表面の欠損残余領域の装飾の画像データを作成し、
シートに前記画像データを印刷し、
欠損部分に前記欠損部分より大きく両面接着剤層を形成した透明なフィルムを貼着し、
欠損部分に印刷画像を整合させて前記画像データを印刷したシートを前記フィルムとともに欠損部分に貼着し、
前記フィルムより大きく片面に接着剤層を形成した保護フィルムを前記フィルム及び前記シート上に貼着することによりなる、
物品の欠損部分を修復する方法。
【請求項３】
修復物品表面の欠損残余領域の装飾の画像データを作成し、
シートに前記画像データを印刷し、
前記欠損部分より大きく片面接着剤層を形成した透明なフィルムに前記画像データを印刷したシートを貼着し、
欠損部分に印刷画像を整合させて前記シート及び前記フィルムを欠損部分に貼着することによりなる、
物品の欠損部分を修復する方法。
【請求項４】
修復物品表面の欠損残余領域の装飾の画像データを作成し、
前記修復物品表面に貼着可能なシートに前記画像データを印刷し、
欠損部分より大きく前記シートを切断し、
欠損部分に印刷画像を整合させて前記シートを前記修復物品の欠損領域に貼着し、
前記シートを貼着した修復物品を熱収縮性フィルムで被覆し、
熱を加えて前記熱収縮性フィルムを修復物品に固着することよりなる、
物品の欠損部分を修復する方法。
【請求項５】
修復物品表面の欠損残余領域の装飾の画像データを作成し、
シートに前記画像データを印刷し、
欠損部分に前記欠損部分より大きく両面接着剤層を形成した透明なフィルムを貼着し、
欠損部分に印刷画像を整合させて前記画像データを印刷したシートを前記フィルムとともに欠損部分に貼着し、
前記フィルムより大きく片面に接着剤層を形成した保護フィルムを前記フィルム及び前記シート上に貼着し、
前記シート及び前記フィルムを貼着した修復物品を熱収縮性フィルムで被覆し、
熱を加えて前記熱収縮性フィルムを修復物品に固着することよりなる、
物品の欠損部分を修復する方法。
【請求項６】
修復物品表面の欠損残余領域の装飾の画像データを作成し、
シートに前記画像データを印刷し、
前記欠損部分より大きく片面接着剤層を形成した透明なフィルムに前記画像データを印刷したシートを貼着し、
欠損部分に印刷画像を整合させて前記シート及び前記フィルムを欠損部分に貼着し、
前記シート及び前記フィルムを貼着した修復物品を熱収縮性フィルムで被覆し、
熱を加えて前記熱収縮性フィルムを修復物品に固着することよりなる、
物品の欠損部分を修復する方法。
【請求項７】
修復物品表面の欠損残余領域の装飾の画像データを作成した後、コンピュータにおいて画像データを調整するステップを含む、請求項１乃至請求項６のいずれかに記載の方法。
【請求項８】
修復物品表面の欠損残余領域の装飾の画像データを作成するステップが、デジタルカメラにより修復物品表面の欠損残余領域を撮影して、コンピュータに前記画像データを取り込むことからなる、請求項１乃至請求項７のいずれかに記載の方法。
【請求項９】
修復物品表面の欠損残余領域の装飾の画像データを作成するステップが、キャナにより修復物品表面の欠損残余領域を読み取って、コンピュータに前記画像データを取り込むことからなる、請求項１乃至請求項７のいずれかに記載の方法。
【請求項１０】
修復物品表面の欠損残余領域の装飾の画像データを作成するステップが、
コンピュータにネットワーク上で提供される画像データを取り込むことからなる、請求項１乃至請求項７のいずれかに記載の方法。
【請求項１１】
片面に接着剤層を形成した透明なフィルムと、画像データを印刷するためのシートよりなる、欠損部分の修復具。
【請求項１２】
前記フィルムより大きく修復する物品に前記フィルム及び前記シートを固着するための熱収縮性フィルムを備えている、請求項１１記載の修復具。
【請求項１３】
両面に接着剤層を形成した透明なフィルムと、画像データを印刷するためのシートと、前記フィルムより大きなサイズで片面に接着剤層を形成した透明な保護フィルムとの組合せよりなる、欠損部分の修復具。
【請求項１４】
前記保護フィルムより大きく修復する物品に前記フィルム及び前記シートを固着するための熱収縮性フィルムを備えている、請求項１３記載の修復具。
【発明の詳細な説明】
【技術分野】
【０００１】
本発明は、装飾物品の修復具及び修復方法に関する。より詳細には、本発明は、複数の装飾物品の一物品が欠損した際に、又は、装飾物品の一部分が欠損した際、欠損した物品又は部分を復元するための修復方法に関する。
【背景技術】
【０００２】
例えば、バッグ、被覆、家具は、全部又は一部に実質的に同一の装飾が施された物品である。これらの物品において、装飾部分の一部が摩耗や損傷により欠損した場合、見栄えが悪くなって使用に耐えがたくなる。
また、例えば、被服のボタンは、実質的に同一の装飾が施された複数物品より構成される。また、例えば、カフスボタンとネクタイピンは、異種物品であるが、実質的に同一の装飾が施された複数物品より構成される。これらの物品において、構成部品の一部が摩耗や損傷により欠損した場合、１つだけ補充することは殆ど行われず、物品全体が使用できなくなる。
【０００３】
修復するための従来の技術として、内装部材や家具を対象として、補修用シールを用いる方法がある（特許文献１）。この方法によると、修復する部材の上に予め準備しておいた絵柄印刷層を転着することにより、家具等の物品表面の傷が修復される。
【特許文献１】特開２００３−３５０２１
【発明の開示】
【発明が解決しようとする課題】
【０００４】
前記特許文献１記載の補修用シールは、既存図柄の印刷層を家具等の表面に転着させる方法である。家具等の表面図柄に近い図柄を選択して貼着することで、下地に近似する模様を再生しようとする技術である。木目色調の家具であれば補修用シールで修復可能ではあるが、被服やバッグのような趣味的な模様が施された装飾品の場合には、多種多様な模様が施されており、それぞれの模様の補修用シールを予め準備しておくことは現実的に不可能である。
【０００５】
また、装飾品の持ち主が全く新しく製作することもできなくはないが、装飾の程度が複雑化すればするほど、同じ図柄や同じ色彩を製作することは困難である。摩耗や損傷した箇所を自作しても、周囲との間で質感や色調が異なり、見栄えが悪くなることは避けられない。
【０００６】
本発明の目的は、残存する装飾を利用して、欠損した部分又は欠損した部品を復元するための修復方法を提供することにある。
本発明の他の目的は、残存する装飾を利用して、欠損した部分又は欠損した部品を復元するための修復具を提供することにある。
【課題を解決するための手段】
【０００７】
そこで、本発明は、第１に、平面物品を対象として、
修復物品表面の欠損残余領域の装飾の画像データを作成し、
前記修復物品表面に貼着可能なシートに前記画像データを印刷し、
欠損部分より大きく前記シートを切断し、
欠損部分に印刷画像を整合させて前記シートを前記修復物品の欠損領域に貼着することによりなる修復方法により前記課題を解決する。
【０００８】
本発明は、第２に、平面物品を対象として、
修復物品表面の欠損残余領域の装飾の画像データを作成し、
シートに前記画像データを印刷し、
欠損部分に前記欠損部分より大きく両面接着剤層を形成した透明なフィルムを貼着し、
欠損部分に印刷画像を整合させて前記画像データを印刷したシートを前記フィルムとともに欠損部分に貼着し、
前記フィルムより大きく片面に接着剤層を形成した保護フィルムを前記フィルム及び前記シート上に貼着することによりなる修復方法により前記課題を解決する。
【０００９】
本発明は、第３に、平面物品を対象として、
修復物品表面の欠損残余領域の装飾の画像データを作成し、
シートに前記画像データを印刷し、
前記欠損部分より大きく片面接着剤層を形成した透明なフィルムに前記画像データを印刷したシートを貼着し、                                            欠損部分に印刷画像を整合させて前記シート及び前記フィルムを欠損部分に貼着することによりなる修復方法により前記課題を解決する。
【００１０】
本発明は、第４に、立体物品を対象として、
修復物品表面の欠損残余領域の装飾の画像データを作成し、
前記修復物品表面に貼着可能なシートに前記画像データを印刷し、
欠損部分より大きく前記シートを切断し、
欠損部分に印刷画像を整合させて前記シートを前記修復物品の欠損領域に貼着し、
前記シートを貼着した修復物品を熱収縮性フィルムで被覆し、
熱を加えて前記熱収縮性フィルムを修復物品に固着することよりなる修復方法により前記課題を解決する。
【００１１】
本発明は、第５に、立体物品を対象として、
修復物品表面の欠損残余領域の装飾の画像データを作成し、
シートに前記画像データを印刷し、
欠損部分に前記欠損部分より大きく両面接着剤層を形成した透明なフィルムを貼着し、
欠損部分に印刷画像を整合させて前記画像データを印刷したシートを前記フィルムとともに欠損部分に貼着し、
前記フィルムより大きく片面に接着剤層を形成した保護フィルムを前記フィルム及び前記シート上に貼着し、
前記シート及び前記フィルムを貼着した修復物品を熱収縮性フィルムで被覆し、
熱を加えて前記熱収縮性フィルムを修復物品に固着することよりなる修復方法により前記課題を解決する。
【００１２】
本発明は、第６に、立体物品を対象として、
修復物品表面の欠損残余領域の装飾の画像データを作成し、
シートに前記画像データを印刷し、
前記欠損部分より大きく片面接着剤層を形成した透明なフィルムに前記画像データを印刷したシートを貼着し、
欠損部分に印刷画像を整合させて前記シート及び前記フィルムを欠損部分に貼着し、
前記シート及び前記フィルムを貼着した修復物品を熱収縮性フィルムで被覆し、
熱を加えて前記熱収縮性フィルムを修復物品に固着することよりなる物品の欠損部分を修復方法により前記課題を解決する。
【００１３】
以上の発明では、残存する装飾を利用して、欠損した部分を再生することができる。同一物品又は同一物品ではないが対となっている物品の欠損していない部分の画像データを利用することより、実質的同一の装飾・模様を再現することができ、その装飾・模様を欠損部分に転写することにより、質感や色調が極めて近くなる。
【００１４】
質感や色調を一層近付けるには、修復物品表面の欠損残余領域の装飾の画像データを作成した後、コンピュータにおいて画像データを調整することが好ましい。所定のアプリケーションプログラムを利用することにより、プリンタ等の周辺機器のパフォーマンスを修正して、違和感なく印刷することが好ましい。
【００１５】
本発明では、修復物品表面の欠損残余領域の装飾の画像データを作成するステップとして、デジタルカメラにより修復物品表面の欠損残余領域を撮影して、コンピュータに前記画像データを取り込むこと、キャナにより修復物品表面の欠損残余領域を読み取って、コンピュータに前記画像データを取り込むことを採用する。デジタルカメラやスキャナの普及により、欠損部分の装飾・模様をデジタルデータから複製することができる。
また、修復物品表面の欠損残余領域の装飾の画像データを作成するステップとして、コンピュータにネットワーク上で提供される画像データを取り込むことようにすることも可能である。
【００１６】
また、本発明は、欠損した部分又は欠損した部品を復元するための修復具を提供する。この修復具は、片面に接着剤層を形成した透明なフィルムと、画像データを印刷するためのシートよりなる。
シートに画像データを印刷した後、印刷画像を欠損部分に整合させ、接着剤層をシート側にして物品にしてフィルムを貼着することにより、容易に欠損部分を修復することができる。
【００１７】
また、本発明の他の修復具は、両面に接着剤層を形成した透明なフィルムと、画像データを印刷するためのシートと、前記フィルムより大きなサイズで片面に接着剤層を形成した透明な保護フィルムとの組合せよりなる。
この修復具では、まず、透明なフィルムを欠損部分の表面に貼着する。シートに画像データを印刷した後、印刷画像を欠損部分に整合させ、透明なフィルム上にシートを貼着する。その後、シートを保護するために、フィルムより大きなサイズで片面に接着剤層を形成した透明な保護フィルムを貼着して、シートを被覆する。ことにより、容易に欠損部分を修復することができる。
【００１８】
平面物品の場合は接着剤を利用して貼着でシート及びフィルムを固着することが容易であるが、立体物品の場合は剥がれることも予想されるので、熱収縮性フィルムを利用してシート及びフィルムを固着することが好ましい。熱収縮性フィルムを利用する場合には、シート及びフィルムを貼着した後、熱収縮性フィルムで物品を被覆して、熱収縮性フィルムに熱を加える。こうすることにより、シートが確実に固定され、多少の衝撃等が物品に加えられても欠損部分に付与された装飾・模様がずれるようなことがない。
【発明を実施するための最良の形態】
【００１９】
以下、図面を参照して本発明による修復方法及び修復具の実施例を説明する。本発明では、平面物品にも立体物品にも利用可能である。平面物品とは、例えば、バッグ、被覆、家具であり、全部又は一部に実質的に同一の装飾が施された物品である。立体物品とは、例えば、被服のボタンであり、実質的に同一の装飾が施された複数物品である。これらの平面物品や立体物品において、構成部品の一部が摩耗や損傷により欠損した場合においても本発明によれば欠損部分を修復することができる。
【００２０】
（実施例１）
図１乃至図３を参照して本発明による修復方法及び修復具の実施例１を説明する。
図１は、例えば、バッグの一部領域の装飾・模様を拡大した図である。図２は、摩耗により装飾・模様が欠損した領域を修復するためのステップを示すフローである。図３は、修復具を利用して修復する処理を示す模式図である。図１において、符号１０は、摩耗により装飾・模様が欠損した領域を示す。
まず、欠損していない完全な領域１２から画像データ１４を採取する（ステップＳ０１）。画像データ１４は、デジタルカメラ又はスキャナによって電子データとして採取する。同一物品の残余領域から装飾・模様を採取するので、欠損部分と実質的に同一の装飾・模様を採取することができる。
【００２１】
次に、所定のアプリケーションプログラムを利用することにより、プリンタ等の周辺機器のパフォーマンスを修正して、大きさ、質感、色調を調製する（ステップＳ０２）。欠損部分に固着した際、修復部分と周囲の違和感をなくすためである。
【００２２】
修復具は、シート１６及びフィルム１８より構成されている。予め準備したシート１６に採取後に調製した画像データ１４を印刷する（ステップＳ０３）。その後、欠損部分に適合するように、シート１６を所定サイズに切断する（ステップＳ０４）。フィルム１８には、片面に接着剤層１８が形成されている。印刷画像を上向きしたシート１６を接着剤層２０を下向きにしたフィルム１８により物品に貼着する（ステップＳ０５）。こうすることにより、図１において、正常部分より採取した装飾・模様が、欠損部分１０上に転写される。
【００２３】
（実施例２）
次に、図４及び図５を参照して本発明による修復方法及び修復具の実施例２を説明する。
図４は、摩耗により装飾・模様が欠損した領域を修復するためのステップを示すフローである。図５は、他の修復具を利用して修復する処理を示す模式図である。
画像データを採取して、画像データを調製し、印刷し、所定サイズに印刷すること（ステップＳ１１〜ステップＳ１４）は、実施例１と同じである。修復具は、シート１６、貼着用フィルム２２、保護フィルム２４より構成されている。予め準備したシート１６に採取後に調製した画像データ１４を印刷する（ステップＳ１３）。その後、欠損部分に適合するように、シート１６を所定サイズに切断する（ステップＳ１４）。
【００２４】
貼着用フィルム２２には、両面に接着剤層２６，２８が形成されている。まず、貼着用フィルム２２を欠損領域を覆うように貼着する（ステップＳ１５）。正常部分と欠損部分の境界よりも大きくした貼着用フィルム２２を利用することで、境界をぼかす効果が期待できる。
次に、印刷画像を上向きしたシート１６を貼着用フィルム２２上に貼着する。装飾・模様が適合するようにシート１６が貼着される（ステップＳ１６）。貼着用フィルム２２が上面にも接着剤層２８を備えているので、シート１６は確実に固定される。
保護フィルム２４には、片面に接着剤層３０が形成されている。そして、接着剤層３０を下向きにした保護フィルム２４をシート１６及び貼着用フィルム２２の上から物品に貼着する（ステップＳ１５）。保護フィルム２４は透明であり、印刷画像がフィルムを透過する。保護フィルム２４は、貼着用フィルム２２より大きく、シート１６と貼着用フィルム２４との境界や、貼着用フィルム２４と物品の境界をぼかす効果が期待できる。こうすることにより、図１において、正常部分より採取した装飾・模様が、欠損部分１０上に転写される。
【００２５】
立体物品の場合は、物品の表面に凹凸があるので、フィルム１８や保護フィルム２４では固着するのが不十分な場合がある。本発明では、立体物品の場合には、熱収縮性フィルムを利用することにより、シート１６を確実に欠損部分・欠損領域に固着する。
また、ボタン等のように複数物品より構成される場合は、集合物品のうち他の物品の装飾・模様を転用する。
【００２６】
例えば、ボタンの装飾・模様を修復する場合には、実施例１又は実施例２の修復方法及び修復具による修復作業の後、シート及びフィルムを貼着した修復物品を熱収縮性フィルムで被覆する。熱収縮性フィルムは、修復具を構成するシート及びフィルムとともにキットとして構成しておくことが好ましい。
その後、熱収縮性フィルムに熱を加えることで、熱収縮性フィルムがボタンを被覆する。こうすることで、修復物品が凹凸状のものでシート１６を確実に物品に固着することができる。
【図面の簡単な説明】
【００２７】
【図１】本発明による修復を行なうバッグの一部領域の装飾・模様を拡大した平面図である。
【図２】実施例１における摩耗により装飾・模様が欠損した領域を修復するためのステップを示すフローである。
【図３】実施例１における修復具を利用して修復する処理を示す模式図である。
【図４】実施例２における摩耗により装飾・模様が欠損した領域を修復するためのステップを示すフローである。
【図５】実施例２における修復具を利用して修復する処理を示す模式図である。
【符号の説明】
【００２８】
１０  装飾物品の欠損部分
１４  画像データ
１６  シート
１８  フィルム
２２  貼着用フィルム
２４  保護フィルム
【図１】
2005319682.tif 000003
【図２】
2005319682.tif 000004
【図３】
2005319682.tif 000005
【図４】
2005319682.tif 000006
【図５】
2005319682.tif 000007